(57)【要約】【課題】大勢の人の目に触れる場所に設置される映像表示装置の用途を、予め決められたスケジュールに従って映像を表示すること以外に拡大するとともに、こうした映像表示装置を容易に制御できるようにする。【解決手段】映像信号および制御用信号を含む第１の通信信号を送受信するため出力端子と、外部機器とネットワークを介して接続するためのネットワーク接続端子と、このネットワーク接続端子から入力された第２の通信信号を、映像表示装置で処理可能な上記第１の通信信号のプロトコルに変換する処理手段と、を備えた情報処理装置を用いる。【選択図】図１
2012100269.tif 000002
【特許請求の範囲】
【請求項１】
映像信号および制御用信号を含む第１の通信信号を送受信するため出力端子と、
外部機器とネットワークを介して接続するためのネットワーク接続端子と、
前記ネットワーク接続端子から入力された第２の通信信号を、映像表示装置で処理可能な前記第１の通信信号のプロトコルに変換する処理手段と、
を備える情報処理装置。
【請求項２】
前記ネットワークを介して前記ネットワーク接続端子から入力された映像信号を記憶する記憶手段、をさらに備える
請求項１に記載の情報処理装置。
【発明の詳細な説明】
【技術分野】
【０００１】
本発明は、例えばプラズマディスプレイパネルのような映像表示装置にオプションとして接続するボードと制御端末とを接続したシステムに関する。
【背景技術】
【０００２】
デパートのような大規模店舗内に大画面の映像表示装置を設置し、デパートの催し等を知らせる映像をその映像表示装置で表示することが広く行われている。
【０００３】
また、駅ビル内やテーマパークに大画面の映像表示装置を設置して商品等を宣伝する映像を表示することや、各種の展示会場に大画面の映像表示装置を設置して展示内容を説明する映像を表示することも広く行われている。
【０００４】
従来、このように大勢の人の目に触れる場所に設置される映像表示装置を制御する方法としては、次の（ａ），（ｂ）のいずれかの方法が採られていた。
（ａ）映像表示装置本体に備わったコントロールパネルや、映像表示装置に付属したリモートコントローラを操作する。
（ｂ）制御用のソフトウェアをインストールしたパーソナルコンピュータを映像表示装置のシリアル通信端子にケーブルで繋ぎ、そのパーソナルコンピュータを操作する。
【発明の概要】
【発明が解決しようとする課題】
【０００５】
しかし、この従来の制御方法では、予め決められたスケジュールに従って映像を表示させるための制御（映像表示装置の近くに設置したＶＴＲで再生されるビデオ信号の映像と映像表示装置の近くに設置したパーソナルコンピュータから出力させたＲＧＢ信号の映像とのいずれを映像表示装置で表示させるかをこのスケジュールに従って切り換えることや、画サイズや色温度等を調整することや、映像表示装置の現在の状態を示す各種パラメータを取得することや、映像表示装置の故障を診断すること等）しか行うことができなかった。その結果、大勢の人の目に触れる場所に設置される映像表示装置の用途が、予め決められたスケジュールに従って映像を表示することだけに限られていた。
【０００６】
また、この従来の制御方法では、映像表示装置の設置場所や設置台数によっては制御に手間や時間がかかってしまう。
【０００７】
本発明は、上述の点に鑑み、大勢の人の目に触れる場所に設置される映像表示装置の用途を、予め決められたスケジュールに従って映像を表示すること以外に拡大することや、こうした映像表示装置を容易に制御できるようにすることを課題としてなされたものである。
【課題を解決するための手段】
【０００８】
この課題を解決するために、本出願人は、映像信号および制御用信号を含む第１の通信信号を送受信するため出力端子と、外部機器とネットワークを介して接続するためのネットワーク接続端子と、前記ネットワーク接続端子から入力された第２の通信信号を、映像表示装置で処理可能な前記第１の通信信号のプロトコルに変換する処理手段とを備えることを特徴とする情報処理装置を提案する。
【０００９】
この映像表示装置用ネットワークボードは、映像出力端子及び通信端子を映像表示装置の映像入力端子及び通信端子に繋ぐことにより、この映像表示装置に接続することが可能である。
【００１０】
このように映像表示装置に接続した状態で、ネットワーク経由で映像表示装置用ネットワークボードに映像信号を送ると、この映像信号が、映像表示装置用ネットワークボードにネットワーク接続端子から入力され、映像処理手段によって映像表示装置で表示可能な方式に変換され、映像表示装置用ネットワークボードの映像出力端子及び映像表示装置の映像入力端子を介して映像表示装置に入力される。
【００１１】
また、このように映像表示装置に接続した状態で、ネットワーク経由で映像表示装置用ネットワークボードに通信信号を送ると、この通信信号が、映像表示装置用ネットワークボードにネットワーク接続端子から入力され、通信処理手段によって映像表示装置で処理可能なプロトコルに変換され、映像表示装置用ネットワークボードの通信端子及び映像表示装置の通信端子を介して映像表示装置に入力されることにより、映像表示装置でこの通信信号に基づく処理が行われる。
【００１２】
したがって、予め決められたスケジュールに従って映像表示装置で表示する映像（映像表示装置の近くに設置したＶＴＲやパーソナルコンピュータからの映像等）以外の映像信号をネットワーク経由で映像表示装置用ネットワークボードに送るとともに、この映像信号の表示に関連した処理を行わせる通信信号をネットワーク経由で映像表示装置用ネットワークボードに送ることにより、予め決められたスケジュールに従って映像を表示するための制御以外の制御を映像表示装置に対して行うことができる。
【００１３】
これにより、大勢の人の目に触れる場所に設置される映像表示装置の用途を、予め決められたスケジュールに従って映像を表示すること以外に拡大することができる。
【００１４】
また、このようにネットワーク経由で映像表示装置を制御することにより、映像表示装置の設置場所や設置台数に係わらず映像表示装置を容易に制御することができる。
【００１５】
なお、映像表示装置が映像入力端子及び通信端子を有するスロットを備えている場合には、この映像表示装置用ネットワークボードをこのスロットに着脱可能に取り付けることが好適である。
【００１６】
それにより、映像表示装置用ネットワークボードを映像表示装置に接続する作業を容易に行うことができるようになる。
【発明の効果】
【００１７】
以上のように、本発明に係る映像表示装置用ネットワークボードによれば、予め決められたスケジュールに従って映像表示装置で表示する映像以外の映像信号をネットワーク経由で映像表示装置用ネットワークボードに送るとともに、この映像信号の表示に関連した処理を行わせる通信信号をネットワーク経由で映像表示装置用ネットワークボードに送ることにより、予め決められたスケジュールに従って映像を表示するための制御以外の制御を映像表示装置に対して行うことができる。
【００１８】
したがって、大勢の人の目に触れる場所に設置される映像表示装置の用途を、予め決められたスケジュールに従って映像を表示すること以外に拡大することができるという効果が得られる。
【００１９】
また、ネットワーク経由で映像表示装置を制御することにより、映像表示装置の設置場所や設置台数に係わらず映像表示装置を容易に制御することができるという効果が得られる。
【００２０】
なお、映像入力端子及び通信端子を有するスロットを備えた映像表示装置のこのスロットにこの映像表示装置用ネットワークボードを取り付けるようにした場合には、映像表示装置用ネットワークボードを映像表示装置に接続する作業を容易に行うことができるという効果も得られる。
【図面の簡単な説明】
【００２１】
【図１】本発明に係るＰＤＰ用のネットワークボードの外観構成例を示す斜視図である。
【図２】図１のネットワークボードの取付対象となるＰＤＰの背面部分のうち本発明と関係する部分の構造を示す斜視図である。
【図３】図１のネットワークボードを図２のＰＤＰに取り付ける様子を示す図である。
【図４】図１のネットワークボードのハードウェア構成を示すブロック図である。
【図５】ネットワークボードを取り付けたＰＤＰの制御方法を例示する図である。
【図６】ネットワークボードを取り付けたＰＤＰの制御方法を例示する図である。
【図７】図５や図６の制御端末に表示されるＧＵＩ画面を例示する図である。
【図８】ネットワークボードを取り付けたＰＤＰのデパートでの利用例を示す図である。
【図９】図８のＰＤＰの画面表示例を示す図である。
【発明を実施するための形態】
【００２２】
以下では、本発明をプラズマディスプレイパネル（ＰＤＰ）に適用した例について説明する。
【００２３】
図１は、本発明に係るＰＤＰ用のネットワークボードの外観構成例を示す。このネットワークボード１の前面（図の手前側の面）には、ＰＣＭＣＩＡスロット２，シリアルポート（ＲＳ−２３２Ｃポート）３，マウスポート４，キーボードポート５，ＵＳＢコネクタ６及び７，ＲＧＢ入力端子８，イーサネット（登録商標）コネクタ（ＲＪ４５）９，ビデオ入力端子１０，ビデオ出力端子１１，オーディオ入力端子（Ｌ信号用）１２，オーディオ入力端子（Ｒ信号用）１３，パワーランプ（発光ダイオード）１４が設けられている。シリアルポート３は、例えば無線マウスを利用したプレゼンテーションツールであるフリーダムライタでプレゼンテーションを行う際に使用するためのポートである。
【００２４】
また、ネットワークボード１の背面には、６４ピンオス型コネクタ１５，電源電圧入力用の３ピンオス型コネクタ１６が設けられている。
【００２５】
このネットワークボード１を取り付ける対象となるＰＤＰは、ＰＦＭ−５１０Ａ２Ｗという機種名で既に普及している４２型のＰＤＰである。
【００２６】
図２は、このＰＤＰの背面部分のうち、本発明と関係する部分の構造を示す。このＰＤＰ３１の背面部分には、６４ピンメス型コネクタ３２及び電源電圧（１００Ｖ）出力用の３ピンメス型コネクタ３３を有する端子板用スロット３４が設けられている。６４ピンメス型コネクタ３２は、それぞれ特定の位置の所定本数のピンがビデオ入力端子，ＲＧＢ（及び水平，垂直同期信号）入力端子，オーディオ入力端子，シリアルポート（ＲＳ−２３２Ｃポート），待機電圧（５Ｖ）の出力端子としての役割を持っている。
【００２７】
端子板用スロット３４には、標準装備品として、ビデオ入力端子，ＲＧＢ入力端子，オーディオ入力端子，シリアルポート（ＲＳ−２３２Ｃポート）を有する端子板（図示略）が着脱可能に取り付けられるようになっている。
【００２８】
図１のネットワークボード１は、この標準装備品である端子板を取り外して、図３に示すように端子板用スロット３４に着脱可能に取り付けるためのオプションボードである。このように端子板用スロット３４に取り付けることにより、オス型コネクタ１５，１６がそれぞれＰＤＰ３１のメス型コネクタ３２，３３に繋がれるので、ネットワークボード１がＰＤＰ３１に接続される。
【００２９】
このＰＤＰ３１は、ＲＳ−２３２Ｃのプロトコルで（具体的には、シリアルリモートと呼ばれる、同期式，データ伝送速度：９６００ｂｐｓ，データ長：８ビット，パリティなし，ストップビット長：１ビットの伝送方式で）外部との間で通信を行うことに基づいて、ビデオ信号の映像とＲＧＢ信号の映像とを切り換えて表示したり、画サイズや色温度等を調整したり、映像に文字をスーパーインポーズして表示したり、映像の中に別の映像を縮小して挿入して表示（ピクチャーインピクチャー）したり、現在の状態を示す各種パラメータを送信したり、故障診断用のデータを送信したりするようになっている。
【００３０】
また、図には表れていないが、ＰＤＰ３１の前面の画面の下方にはコントロールパネルが設けられている。このコントロールパネル上には、制御内容（映像の切換えや画サイズや色温度等の調整等）を選択するためのメニューキーや、選択した内容の制御を行うための各種の操作キーが存在している。
【００３１】
図４は、図１のネットワークボード１のハードウェア構成例を示す。ネットワークボード１には、マザーボード１７，ハードディスクドライブ（ＨＤＤ）１８，２入力１出力のスイッチ回路１９，電源回路２０が設けられている。
【００３２】
マザーボード１７の仕様例は、次の通りである。
ＯＳ（基本ソフト）：Ｗｉｎｄｏｗｓ９８ＣＰＵ：Ｃｅｌｅｒｏｎ５００ＭＨｚメモリ：６４Ｍバイトチップセット：Ｉｎｔｅｌ４４０ＢＸグラフィックチップ：Ｔｒｉｄｅｎｔ社製Ｃｙｂｅｒ９５２５ＤＶＤまた、ＨＤＤ１８は、１０ギガバイトの記録容量を有している。したがって、ネットワークボード１は、フルスペックのパーソナルコンピュータ並の性能を持っている。
【００３３】
マザーボード１７のメモリには、シリアルリモート−ＴＣＰ／ＩＰ変換ドライバソフトがインストールされている。このドライバソフトは、イーサネットの通信信号であるＴＣＰ／ＩＰパケットを図２のＰＤＰ３１で通信可能なＲＳ−２３２Ｃの通信信号（前述のシリアルリモートの通信信号）に変換するプロトコル変換処理と、その逆のプロトコル処理（シリアルリモートの通信信号をＴＣＰ／ＩＰパケットに変換する処理）とを行うものである。
【００３４】
マザーボード１７は、図１のＰＣＭＣＩＡスロット２，シリアルポート３，マウスポート４，キーボードポート５，ＵＳＢコネクタ６及び７，イーサネットコネクタ９の他に、シリアルポート（ＲＳ−２３２Ｃポート）２１〜２３，ＩＤＥ（Integrated Device Electronics ）コネクタ２４，ＲＧＢ出力端子２５，電源コネクタ２６を有している。
【００３５】
シリアルポート２３は、６４ピンオス型コネクタ１５のうちのシリアルポートとしての役割を持つ所定本数のピンと結ばれている。このピンは、ネットワークボード１を図２の端子板用スロット３４に取り付けた際に、ＰＤＰ３１の６４ピンメス型コネクタ３２のうちのシリアルポートとしての役割を持つピンと繋がれる位置にあるピンである。
【００３６】
ＨＤＤ１８は、ＩＤＥコネクタ２４を介してマザーボード１７に接続されている。
【００３７】
ＲＧＢ出力端子２５はスイッチ回路１９の一方の入力端子Ｉ１と結ばれており、スイッチ回路１９のもう一方の入力端子Ｉ２は図１のＲＧＢ入力端子８と結ばれている。スイッチ回路１９は、入力端子Ｉ１及びＩ２の両方からＲＧＢ信号が入力された際には入力端子Ｉ１からのＲＧＢ信号を出力し、入力端子Ｉ１またはＩの一方のみからＲＧＢ信号が入力された際にはそのＲＧＢ信号を出力する。
【００３８】
スイッチ回路１９の出力端子は、６４ピンオス型コネクタ１５のうちのＲＧＢ出力端子としての役割を持つ所定本数のピンと結ばれている。このピンは、ネットワークボード１を図２の端子板用スロット３４に取り付けた際に、ＰＤＰ３１の６４ピンメス型コネクタ３２のうちのＲＧＢ入力端子としての役割を持つピンと繋がれる位置にあるピンである。
【００３９】
電源回路２０は、６４ピンオス型コネクタ１５のうちの待機電圧入力端子としての役割を持つ所定本数のピン（ネットワークボード１を端子板用スロット３４に取り付けた際に６４ピンメス型コネクタ３２のうちの待機電圧の出力端子としての役割を持つピンと繋がれる位置にあるピン）と結ばれるとともに、ピンオス型コネクタ１６と結ばれ、電源コネクタ２６を介してマザーボード１７に接続され、図１のパワーランプ１４に接続されている。
【００４０】
ネットワークボード１を図２の端子板用スロット３４に取り付けることにより、ＰＤＰ３１から待機電圧及び電源電圧が電源回路２０に供給され、待機時，動作時にそれぞれ５Ｖ，１２Ｖの電圧がマザーボード１７に供給されるとともに、パワーランプ１４が点灯する。
【００４１】
図１のビデオ入力端子１０は、ビデオ出力端子１１と結ばれるとともに、６４ピンオス型コネクタ１５のうちのビデオ出力端子としての役割を持つ所定本数のピンと結ばれている。このピンは、ネットワークボード１を図２の端子板用スロット３４に取り付けた際に、ＰＤＰ３１の６４ピンメス型コネクタ３２のうちのビデオ入力端子としての役割を持つピンと繋がれる位置にあるピンである。
【００４２】
図１のオーディオ入力端子１２及び１３は、６４ピンオス型コネクタ１５のうちのオーディオ出力端子としての役割を持つ所定本数のピンと結ばれている。このピンは、ネットワークボード１を図２の端子板用スロット３４に取り付けた際に、ＰＤＰ３１の６４ピンメス型コネクタ３２のうちのオーディオ入力端子としての役割を持つピンと繋がれる位置にあるピンである。
【００４３】
次に、このネットワークボード１を図２のＰＤＰ３１に取り付けた状態でＰＤＰ３１を制御する方法について説明する。
【００４４】
図５は、ネットワークボード１を取り付けたＰＤＰ３１の制御方法の一例を示す。この例では、ＰＤＰ３１に取り付けたネットワークボード１のイーサネットコネクタ９にイーサネットへの接続用のケーブル（１０Ｂａｓｅ−Ｔケーブルまたは１００Ｂａｓｅ−Ｔケーブル）４１を繋ぐことにより、ネットワークボード１をイーサネット４２に接続する。
【００４５】
そして、イーサネット４２に接続した制御端末（パーソナルコンピュータ）４３から、イーサネット４２経由で映像信号や通信信号（ＴＣＰ／ＩＰパケット）をネットワークボード１に送る。
【００４６】
こうしてネットワークボード１に送られた映像信号は、イーサネットコネクタ９からマザーボード１７（図４）に入力し、ＨＤＤ１８に一時記録された後、ＨＤＤ１８から読み出されてマザーボード１７のグラフィックチップでＲＧＢ信号にフォーマット変換される。そして、マザーボード１７のＲＧＢ出力端子２５から出力され、スイッチ回路１９，６４ピンオス型コネクタ１５及び６４ピンメス型コネクタ３２を介してＰＤＰ３１に入力する。
【００４７】
また、こうしてネットワークボード１に送られた通信信号は、イーサネットコネクタ９からマザーボード１７に入力し、マザーボード１７のＣＰＵが実行するシリアルリモート−ＴＣＰ／ＩＰ変換ソフトによってシリアルリモートの通信信号にプロトコル変換される。そして、マザーボード１７のシリアルポート２３から出力され、６４ピンオス型コネクタ１５及び６４ピンメス型コネクタ３２を介してＰＤＰ３１に入力することにより、ＰＤＰ３１でこの通信信号に基づく処理が行われる。
【００４８】
このように、制御端末４３を操作してイーサネット４２経由でＰＤＰ３１を制御することができる。また、予め決められたスケジュールに従ってＰＤＰ３１で表示する映像（ＰＤＰ３１の近くに設置したＶＴＲやパーソナルコンピュータからの映像等）以外の映像信号を制御端末４３から送るとともに、この映像信号の表示に関連した処理を行わせる通信信号を制御端末４３から送ることにより、予め決められたスケジュールに従って映像を表示するための制御以外の制御をＰＤＰ３１に対して行うことが可能である。
【００４９】
図６は、ネットワークボード１を取り付けたＰＤＰ３１の制御方法の別の一例を示すものであり、図５と共通する部分には同一符号を付している。この例では、ＰＤＰ３１に取り付けたネットワークボード１のＰＣＭＣＩＡスロット２に、ＩＥＥＥ８０２．１１ｂに準拠した無線ＬＡＮ用のＰＣＭＣＩＡカード４４を装着する。
【００５０】
また、無線ＬＡＮのエリア内に、無線ＬＡＮアクセスポイント４５を設ける。無線ＬＡＮアクセスポイント４５は、ＰＣＭＣＩＡカード４４と同じくＩＥＥＥ８０２．１１ｂに準拠したＰＣＭＣＩＡカード４６を有し、イーサネットへの接続用のケーブル（１０Ｂａｓｅ−Ｔケーブルまたは１００Ｂａｓｅ−Ｔケーブル）４７でイーサネット４２に接続されるとともに、無線ＬＡＮとイーサネット４２とを接続するブリッジ（図示略）を有するものである。
【００５１】
そして、イーサネット４２に接続した制御端末４３から、イーサネット４２及び無線ＬＡＮ経由で映像信号や通信信号をネットワークボード１に送る。
【００５２】
この例でも、図５の例と同様に、制御端末４３を操作してイーサネット４２経由でＰＤＰ３１を制御することができるとともに、制御端末４３から送る映像信号と関連してＰＤＰ３１を制御することが可能である。
【００５３】
図７は、図５や図６の制御端末４３にインストールしたソフトウェアに基づいて制御端末４３に表示されるＰＤＰ３１制御用のＧＵＩ（グラフィカルユーザーインタフェース）画面の一例を示す。
【００５４】
制御端末４３からネットワークボード１へのアクセス及びログインを行った後、このソフトウェアを起動すると、図７Ａのメイン画面が表示される。この画面には、次のようなアイコンが存在する。
（ａ）ビデオ信号（ネットワークボード１にビデオ入力端子１０から入力し、６４ピンオス型コネクタ１５及び６４ピンメス型コネクタ３２を介してＰＤＰ３１に入力したもの）の映像をＰＤＰ３１に表示させるためのアイコン５１
（ｂ）ＲＧＢ信号（制御端末４３から送りネットワークボード１でフォーマット変換されてＰＤＰ３１に入力したものか、ネットワークボード１にＲＧＢ入力端子８から入力し、スイッチ回路１９，６４ピンオス型コネクタ１５及び６４ピンメス型コネクタ３２を介してＰＤＰ３１に入力したもの）の映像をＰＤＰ３１に表示させるためのアイコン５２
（ｃ）詳細設定用画面を開くためのアイコン５３
（ｄ）制御を終了するためのアイコン５４
【００５５】
アイコン５３をクリックすると、図７Ｂの詳細設定用画面が開かれる。この画面には、次のようなアイコン及び欄が存在する。
（ａ）ビデオ信号の映像をＰＤＰ３１に表示させるためのアイコン６１
（ｂ）通常の規格であるＲＧＢ１の規格のＲＧＢ信号の映像をＰＤＰ３１に表示させるためのアイコン６２
（ｃ）ＲＧＢ２の規格のＲＧＢ信号の映像をＰＤＰ３１に表示させるためのアイコン６３（ｄ）ＰＤＰ３１に対するコマンドを１６進数字で打ち込むための欄６４
（ｅ）ＰＤＰ３１からデータを送信させるコマンドを１６進数字で打ち込むための欄６５（ｆ）欄６４や欄６５に打ち込んだコマンドを送信するためのアイコン６６
（ｇ）欄６４や欄６５に打ち込んだコマンドを削除するためのアイコン６７
（ｈ）ネットワークボード１のマザーボード１７の４つのシリアルポートＣＯＭ１〜４（図４のシリアルポート３，２１〜２３）の中から、ＰＤＰ３１に通信信号を送るシリアルポートを指定するためのアイコン群６８
（ｉ）詳細設定用画面を閉じるためのアイコン６９
【００５６】
欄６４に打ち込むコマンドの例としては、画サイズや色温度等を調整させるコマンドや、映像に文字をスーパーインポーズして表示させるコマンドや、映像の中に別の映像を挿入して表示（ピクチャーインピクチャー）させるコマンドや、さらには、ＰＤＰ３１のコントロールパネル上の特定のキー（例えばメニューキー）の機能を一時的に変更させて、そのキーが操作された際に操作されたことを示す通信信号を送信させるコマンドが挙げられる。
【００５７】
欄６５にコマンドを打ち込んで送信させるデータとしては、現在の状態を示す各種パラメータや、故障診断用のデータが挙げられる。
【００５８】
次に、このネットワークボード１を取り付けたＰＤＰ３１の具体的な利用例について説明する。
【００５９】
図８は、ネットワークボード１を取り付けたＰＤＰ３１のデパートでの利用例を示すものであり、図５と共通する部分には同一符号を付している。ネットワークボード１を取り付けたＰＤＰ３１が、デパートの各階の休憩所にそれぞれ設置されている。各階のネットワークボード１には、ＰＤＰ３１の近くに設置したＶＴＲ７１がそれぞれビデオ入力端子１０を介して接続されている。ＶＴＲ７１には、デパートの催し等を知らせる映像を収録したビデオテープが格納されている。この映像は、予め決められたスケジュールでＶＴＲ７１で再生されて、ＰＤＰ３１で表示される。
【００６０】
各階のネットワークボード１は図５のようにしてデパート内のイーサネット４２に接続されており、制御端末４３はデパート内の管理センターに配置されている。制御端末４３には、デジタルスチルカメラ７２が接続されている。
【００６１】
通常時は、制御端末４３で図７Ａのメイン画面のアイコン５１をクリックしておくことにより、ＶＴＲ７１で再生されたデパートの催し等を知らせる映像を各階のＰＤＰ３１の画面全体に表示させる。
【００６２】
これに対し、デパート内で迷子が保護されると、その迷子の顔をデジタルスチルカメラ７２で撮影して、その映像信号を制御端末４３からイーサネット４２経由で各階のネットワークボード１に送信する。
【００６３】
また、制御端末４３で図７Ｂの詳細設定画面を開き、現在ＰＤＰ３１で表示しているデパートの催し等を知らせる映像の中にこの迷子の顔の映像を挿入して表示させるコマンドと、現在ＰＤＰ３１で表示している映像に「迷子の保護者のかたはメニューキーを押してください」という文字をスーパーインポーズさせるコマンドと、このメニューキーの機能を一時的に変更させて、メニューキーが操作された際に操作されたことを示す通信信号を送信させるコマンドとを欄６４に入力する。そして、アイコン６６をクリックすることによりこれらのコマンドを制御端末４３からイーサネット４２経由で各階のネットワークボード１に送信する。
【００６４】
すると、この迷子の顔の映像信号がネットワークボード１でフォーマット変換されてＰＤＰ３１に入力するとともに、これらのコマンドがネットワークボード１でプロトコル変換されてＰＤＰ３１に入力し、ＰＤＰ３１がこのコマンドを実行することにより、図９に例示するように、各階のＰＤＰ３１で、デパートの催しを知らせる映像８１が表示されている画面の一画にこの迷子の顔の映像８２が表示されるとともに、「迷子の保護者は下のメニューキーを押してください」という文字が映像にスーパーインポーズされる。
【００６５】
そして、或る階でＰＤＰ３１の画面を見た保護者がそのＰＤＰ３１のメニューキーを押すと、そのＰＤＰ３１のメニューキーが操作されたことを示す通信信号が、そのＰＤＰ３１に取り付けられたネットワークボード１でプロトコル変換され、イーサネット４２経由で制御端末４３に送られる。
【００６６】
制御端末４３では、この通信信号と、この通信信号を送信したネットワークボード１のイーサネット４２上でのＩＰアドレスとに基づき、その階の休憩所に保護者がいることを知らせる画面表示が行なわれる。これにより、この迷子を保護者に引き渡すことができる。
【００６７】
このように、デパートの各階のＰＤＰ３１が、デパートの催し等を知らせる映像を予め決められたスケジュールで表示することだけでなく、迷子のお知らせを行うとともに保護者がこのお知らせに対して応答する操作を行うためにも用いられる。したがって、ＰＤＰ３１の用途が拡大される。
【００６８】
また、単一の制御端末４３を操作してイーサネット４２経由で各階のＰＤＰ３１を制御するので、デパート内でのＰＤＰ３１の設置場所や設置台数に係わらずＰＤＰ３１を容易に制御することができる。
【００６９】
また、ネットワークボード１をＰＤＰ３１の端子板用スロット３４に取り付けるだけでネットワークボード１がＰＤＰ３１に接続されるので、ネットワークボード１をＰＤＰ３１に接続する作業を容易に行うことができる。
【００７０】
なお、図８の例ではネットワークボード１を取り付けたＰＤＰ３１をデパートで利用しているが、駅ビルやテーマパークや各種の展示会場等でも利用しても同様にしてＰＤＰ３１の用途を拡大できるとともにＰＤＰ３１を容易に制御できることはもちろんである。
【００７１】
また、以上の例では、端子板用スロット３４が設けられたＰＤＰ３１に本発明を適用している。しかし、このような端子板用のスロットが設けられていないＰＤＰに本発明を適用する（ＰＤＰに設けられたビデオ入力端子やＲＧＢ入力端子やシリアルポートに繋ぐためのビデオ出力端子やＲＧＢ出力端子やシリアルポートをネットワークボードに設け、このビデオ出力端子やＲＧＢ出力端子やシリアルポートをＰＤＰのビデオ入力端子やＲＧＢ入力端子やシリアルポートに繋ぐことによってネットワークボードをＰＤＰに接続する）ようにしてもよい。
【００７２】
また、以上の例ではＰＤＰに本発明を適用しているが、ＰＤＰ以外の映像表示装置（例えば液晶ディスプレイ等）にも本発明を適用してよい。
【００７３】
また、本発明は、以上の例に限らず、本発明の要旨を逸脱することなく、その他様々の構成をとりうることはもちろんである。
【符号の説明】
【００７４】
１…ネットワークボード、 ２…ＰＣＭＣＩＡスロット、 ３，２１〜２３…シリアルポート、 ４…マウスポート、 ５…キーボードポート、 ６，７…ＵＳＢコネクタ、 ８…ＲＧＢ入力端子、 ９…イーサネットコネクタ、 １０…ビデオ入力端子、 １１…ビデオ出力端子、 １２，１３…オーディオ入力端子、 １４…パワーランプ、 １５…６４ピンオス型コネクタ、 １６…３ピンオス型コネクタ、 １７…マザーボード、 １８…ＨＤＤ、 １９…スイッチ回路、 ２０…電源回路、 ２４…ＩＤＥコネクタ、 ２５…ＲＧＢ出力端子、 ２６…電源コネクタ、 ３１…ＰＤＰ、 ３２…６４ピンメス型コネクタ、 ３３…３ピンメス型コネクタ、 ３４…端子板用スロット、 ４１…イーサネット接続用のケーブル、 ４２…イーサネット、 ４３…制御端末、 ７１…ＶＴＲ、 ７２…デジタルスチルカメラ
【図１】
2012100269.tif 000003
【図２】
2012100269.tif 000004
【図３】
2012100269.tif 000005
【図４】
2012100269.tif 000006
【図５】
2012100269.tif 000007
【図６】
2012100269.tif 000008
【図７】
2012100269.tif 000009
【図８】
2012100269.tif 000010
【図９】
2012100269.tif 000011
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
情報処理装置と、制御端末とがネットワークに接続され、
前記情報処理装置は、
映像表示装置に設けられた映像入力端子に第１の通信信号を送信する出力部と、
前記制御端末とネットワークを介して接続するためのネットワーク接続部と、
前記ネットワーク接続部から入力された第２の通信信号を、前記映像表示装置で処理可能なプロトコルの前記第１の通信信号に変換する処理部と、を備え、
前記制御端末は、
前記情報処理装置を制御する操作キーを表示する表示制御部と、
前記操作キーが操作されたことに応じて、前記第２の通信信号を前記ネットワーク経由で前記情報処理装置に送信する送信部と、を備える
情報処理装置と制御端末を接続したシステム。
【請求項２】
前記情報処理装置が、前記ネットワークを介して前記ネットワーク接続部から入力された映像信号を記憶する記憶部、をさらに備える
請求項１に記載の情報処理装置と制御端末を接続したシステム。
【請求項３】
複数の映像表示装置のそれぞれに前記情報処理装置が接続され、
前記制御端末は、
前記映像表示装置で表示している映像に、前記映像表示装置の所定の操作キーの操作を指示する文字をスーパーインポーズさせるコマンドと、前記映像表示装置の前記所定の操作キーの機能を一時的に変更させて、前記所定の操作キーが操作された際に操作されたことを示す通信信号を送信させるコマンドとが入力されたことに応じて、これらのコマンドを前記ネットワーク経由で各々の前記情報処理装置に送信する処理と、
いずれかの前記情報処理装置から、前記所定の操作キーが操作されたことを示す通信信号が送られたことに応じて、該通信信号と、該通信信号を送信した前記情報処理装置の前記ネットワーク上でのアドレスとに基づき、前記複数の情報処理装置のうちのどの映像表示装置の設置場所で前記映像表示装置の前記所定の操作キーが操作されたかを知らせる画面表示を行う処理とを実行する
請求項１又は２に記載の情報処理装置と制御端末を接続したシステム。
【手続補正３】
【補正対象書類名】明細書
【補正対象項目名】０００１
【補正方法】変更
【補正の内容】
【０００１】
本発明は、例えばプラズマディスプレイパネルのような映像表示装置にオプションとして接続する情報処理装置と制御端末とを接続したシステムに関する。
【手続補正４】
【補正対象書類名】明細書
【補正対象項目名】０００８
【補正方法】変更
【補正の内容】
【０００８】
この課題を解決するために、本出願人は、
情報処理装置と、制御端末とがネットワークに接続され、
情報処理装置は、
映像表示装置に設けられた映像入力端子に第１の通信信号を送信する出力部と、前記制御端末とネットワークを介して接続するためのネットワーク接続部と、前記ネットワーク接続部から入力された第２の通信信号を、前記映像表示装置で処理可能なプロトコルの前記第１の通信信号に変換する処理部と、を備え、
前記制御端末は、
前記情報処理装置を制御する操作キーを表示する表示制御部と、前記操作キーが操作されたことに応じて、前記第２の通信信号を前記ネットワーク経由で前記情報処理装置に送信する送信部と、を備える
情報処理装置と制御端末を接続したシステムを提案する。
【手続補正５】
【補正対象書類名】明細書
【補正対象項目名】０００９
【補正方法】変更
【補正の内容】
【０００９】
この情報処理装置は、出力部を映像表示装置の映像入力端子に繋ぎ、ネットワーク接続部を制御端末と繋ぐことにより、この映像表示装置と制御端末に接続することが可能である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、映像表示装置に情報処理装置を接続した状態で、制御端末からネットワーク経由で情報処理装置に第２の通信信号を送ると、この第２の通信信号が、情報処理装置にネットワーク接続部から入力され、情報処理装置の処理部によって映像表示装置で処理可能なプロトコルの第１の通信信号に変換され、情報処理装置の出力部及び映像表示装置の通信端子を介して映像表示装置に入力されることにより、映像表示装置でこの第１の通信信号に基づく処理が行われる。
【手続補正８】
【補正対象書類名】明細書
【補正対象項目名】００１２
【補正方法】変更
【補正の内容】
【００１２】
したがって、予め決められたスケジュールに従って映像表示装置で表示する映像（映像表示装置の近くに設置したＶＴＲやパーソナルコンピュータからの映像等）以外の第１の通信信号を制御端末からネットワーク経由で情報処理装置に送るとともに、制御端末からこの第１の通信信号の表示に関連した処理を行わせる第２の通信信号をネットワーク経由で情報処理装置に送ることにより、情報処理装置がこの第２の通信信号を映像表示装置で処理可能なプロトコルの第１の通信信号に変換して映像処理装置へ送るので、予め決められたスケジュールに従って映像を表示するための制御以外の制御を映像表示装置に対して行うことができる。
【手続補正９】
【補正対象書類名】明細書
【補正対象項目名】００１５
【補正方法】変更
【補正の内容】
【００１５】
なお、映像表示装置が映像入力端子及び通信端子を有するスロットを備えている場合には、この情報処理装置をこのスロットに着脱可能に取り付けることが好適である。
【手続補正１０】
【補正対象書類名】明細書
【補正対象項目名】００１６
【補正方法】変更
【補正の内容】
【００１６】
それにより、情報処理装置を映像表示装置に接続する作業を容易に行うことができるようになる。
【手続補正１１】
【補正対象書類名】明細書
【補正対象項目名】００１７
【補正方法】変更
【補正の内容】
【００１７】
以上のように、本発明に係る情報処理装置と制御端末を接続したシステムによれば、予め決められたスケジュールに従って映像表示装置で表示する映像以外の第１の通信信号を制御端末からネットワーク経由で情報処理装置に送るとともに、制御端末からこの第１の通信信号の表示に関連した処理を行わせる第２の通信信号をネットワーク経由で情報処理装置に送ることにより、情報処理装置がこの第２の通信信号を映像表示装置で処理可能なプロトコルの第１の通信信号に変換して映像処理装置へ送るので、予め決められたスケジュールに従って映像を表示するための制御以外の制御を映像表示装置に対して行うことができる。
【手続補正１２】
【補正対象書類名】明細書
【補正対象項目名】００２０
【補正方法】変更
【補正の内容】
【００２０】
なお、映像入力端子及び通信端子を有するスロットを備えた映像表示装置のこのスロットにこの情報処理装置を取り付けるようにした場合には、情報処理装置を映像表示装置に接続する作業を容易に行うことができるという効果も得られる。